(57)【特許請求の範囲】
【請求項１】
容器の上部開口を閉塞する蓋において、
合成樹脂成形体から成り、前記容器の開口の周縁部と嵌着されるリング状のフレームと、
前記フレームの中心側に突出するように一体に連設されており、かつ注出口と上方に向かって開放された凹部とを有する突片と、
前記フレームの内側の開口部を閉塞するように前記フレームに組合わされるようになっており、紙を主材料とする蓋板と、
前記蓋板に形成されているプルタブと、
前記プルタブと連続するように前記蓋板に形成されており、切断すると前記突片の注出口を露出させる切断誘導部と、
を具備し、前記突片の凹部の上側の位置で前記プルタブを押すと該プルタブの端部が持上がって掴むことができるようになっており、前記プルタブと連続する切断誘導部のところで前記蓋板が破断されて前記注出口が露出することを特徴とする容器の蓋。
【発明の詳細な説明】
【０００１】
【産業上の利用分野】
本発明は容器の蓋に係り、とくに使捨て式の簡易容器に用いて好適な蓋であって、容器の上部開口を閉塞する蓋に関する。
【０００２】
【従来の技術】
各種の飲料や食品を供給するために、カップ状をなす簡易容器が広く用いられている。簡易容器は扇形の原紙を巻いてほぼカップ状の形状をなすとともに、その底部を底板によって閉塞し、上部開口の周縁部を外側に巻いてカール部とするとともに、このカール部を押し潰してフランジを形成するようにしたものである。
【０００３】
このようなカップ状容器内に各種の飲料や固形食品等が充填されるとともに、上部開口を蓋によって閉塞して供給されるようになっている。
【０００４】
このような簡易容器の蓋として、従来はアルミニウム箔と合成樹脂フィルムとのラミネート構造のシートが用いられ、このようなシートを簡易容器の開口縁部のフランジにシールすることによって上部開口を閉じるようにしていた。別の蓋の形態は、真空成形や圧空成形によって成形された蓋であって、その外周側の嵌合部を容器の開口の周縁部に嵌合させて容器を閉じるようにしていた。
【０００５】
カップ状をなす紙製の簡易容器にアイスクリームを充填した場合には、この容器の上部開口よりもやや小さな円形の板紙の外周の一部にプルタブを連設した落し蓋が用いられており、このような落し蓋をアイスクリームを充填した後に容器の開口の周縁部の内周面に嵌着させるようにしている。
【０００６】
【発明が解決しようとする課題】
従来のアルミニウム箔と合成樹脂フィルムとのラミネート構造のシート、成形蓋、あるいは板紙から成る落し蓋はいずれも高級感に乏しく、商品価値を高めることができないという欠点があった。またこのような蓋を除去すると、簡易容器の上部開口が全部開放されるようになり、部分的に必要な部分だけ開口させることができなかった。とくに飲料を充填した容器の場合には、必ずしもその全体を開口させる必要はなく、飲料が注出される大きさの部分のみを開封した方が、飲料がこぼれなくなる点で好ましい。しかるに従来の蓋はこのような要求を満たすことができなかった。
【０００７】
本発明はこのような問題点に鑑みてなされたものであって、高級感を付与することが可能であって、しかも必要に応じて部分的に開口させることが可能な容器の蓋を提供することを目的とするものである。
【０００８】
【課題を解決するための手段】
本発明は、容器の上部開口を閉塞する蓋を合成樹脂成形体から成るフレームと紙を主材料とする蓋板とによって構成するとともに、フレームを容器の開口の周縁部と嵌着されるリング状の形状とし、しかもフレームの中心側に突出するように一体に注出口と上方に向かって開放された凹部とを有する突片を連設し、フレームの内側の開口部を上記蓋板によって閉塞するとともに、この蓋板にはプルタブと、このプルタブと連続するように切断誘導部を形成し、突片の凹部の上側の位置でプルタブを押すと該プルタブの端部が持上がって掴むことができるようになっており、このプルタブを引張って切断誘導部を切断すると突片の注出口が露出するようにしたものである。
【０００９】
【作用】
本発明によれば、蓋板に形成されているプルタブを引張ると、このプルタブと連続するように蓋板に形成されている切断誘導部のところで蓋板が切断されることになり、これによってフレームの突片に形成されている注出口が露出されることになる。
【００１０】
【実施例】
以下本発明を図示の実施例によって説明する。まず第１の実施例を図１〜図７によって説明すると、本実施例に係る容器の蓋は、図１および図５に示すような紙製のカップ状簡易容器に適用される蓋である。
【００１１】
容器１０について説明すると、容器１０は扇形の原紙を巻いてほぼカップ状に形成されたものであって、その上部開口の周縁部は外側に巻込まれてカール部が形成されるとともに、このカール部を押し潰すことによってフランジ１１が形成されるようになっている。これに対して容器１０の底部は図５に示すように底板１２によって閉塞されるようになっている。底板１２の外周側の部分は下方へ折曲げられて周璧部１３を形成しており、この周璧部１３が容器１０の胴の部分の下端の折返し部１４によって保持されるようになっており、胴の下端側の部分と折返し部１４とによって底板１２の周璧部１３が挟着されるようになっている。
【００１２】
次にこのような容器１０の上部開口であってフランジ１１に嵌着されるように取付けられる蓋について説明すると、図１〜図３に示すように、蓋は合成樹脂、例えばポリエチレンあるいはポリプロピレン樹脂の射出成形体から成るフレーム２０と板紙から成る蓋板２１とによって構成されている。なお蓋板２１は少なくともその内表面にポリエチレンフィルムがラミネートされた接合構造になっている。
【００１３】
フレーム２０はその外周側にリング状嵌着部２２を備えている。図３に示すようにこのリング状嵌着部２２は下方に開口されたコの字状の断面を有しており、このような嵌着部２２が図５に示すように容器１０のフランジ１１に嵌着されることになる。またリング状嵌着部２２の内周側には接合部２３が中心側に向けて突設されており、この接合部２３によってフレーム２０が蓋板２１と接合されるようになっている。
【００１４】
フレーム２０には上記接合部２３と連続するように中心側に突出する突片２６が連設されている。そして突片２６には注出口２７が形成されている。突片２６の注出口２７よりも先端側の部分は凹部２８になっている。
【００１５】
これに対して蓋板２１は図１および図４に示すように内表面にポリエチレンフィルムを接合したラミネート構造の板紙から構成されるとともに、そのほぼ中心部にはＵ字状をなす切込み３１が形成されている。そしてこの切込み３１の両端から蓋板２１の外周側の部分に延びるように切断誘導部３２が形成されている。そしてＵ字状切込み３１によって囲まれる領域がプルタブ３３になっている。
【００１６】
以上のような構成において、紙製の蓋板２１はフレーム２０の上面であってリング状嵌着部２２の内側の部分に接合部２３によって糊付けあるいは接着されて接合されるようになっている。そしてこのときに突片２６の周縁部についても同様に蓋板２１が接合されることになる。ここで注意しなければならないのは、プルタブ３３の内表面は突片２６の先端側であって凹部２８の部分には糊付けされていないことである。
【００１７】
このようにフレーム２０に蓋板２１を接合したならば、このような蓋によって内容物、例えば飲料を充填した容器１０の上部開口に図５に示すように嵌着する。このときにフレーム２０のリング状嵌着部２２が容器１０のフランジ１１に嵌着される。そして必要に応じてリング状嵌着部２２をフランジ１１と熱シールする。これによって容器１０の上部開口が蓋によって閉塞されることになる。このような状態において容器に充填された飲料が物流に供される。
【００１８】
このような容器内に充填された飲料を飲む場合には、図６に示すように、蓋板２１のＵ字状切込み３１によって囲まれるプルタブ３３の部分を指で押す。プルタブ３３の部分はフレーム２０の突片２６の表面に糊付けまたは接着されておらず、しかもその下側に凹部２８が形成されているために、プルタブ３３が押されるとその先端部は凹部２８の存在によって持上がることになる。従って持上げられたプルタブ３３の先端部を指で掴むとともに、上方に引張ることによって、プルタブ３３と連続する切断誘導部３２が図７に示すように破断される。
【００１９】
このようにプルタブ３３を引張って蓋板２１の一部を切断誘導部３２によって切断して除去すると、フレーム２０の突片２６に形成されている注出口２７が露出されて開口されることになる。従ってこのような開口２７を通して容器の中の飲料を注出して飲むことが可能になる。
【００２０】
このような容器の蓋の構造によれば、合成樹脂製のフレーム２０と板紙から成る蓋板２１とによって構成されており、従来のアルミニウム箔のラミネートシート、成形蓋、落し蓋等に比べて高級感を商品に対して付与することが可能になり、高級なイメージの簡易容器になる。またプルタブ３３を引張ると、突片２６の注出口２７の部分のみが開封されることになり、この容器１０の上部開口の全体が開口されることがない。
【００２１】
プルタブ３３を引張って蓋板２１の一部を破断したときに、注出口２７の周縁部であって露出された突片２６の表面はそれまで蓋板２１によって覆われていたために、注出口２７の周縁部が汚損され難くなり、このために衛生的に中の飲料を飲むことが可能になる。
【００２２】
またこのような蓋はその主体部が蓋板２１から構成されており、外周側の部分のみを合成樹脂製のフレーム２０によって構成するようにしている。従って合成樹脂の使用量が少なくなる。このために焼却廃棄が容易な蓋を提供することが可能になる。
【００２３】
次に第２の実施例を図８〜図１２によって説明する。この実施例は、フレーム２０の外周側の部分にリング状嵌着部２２に代えて外周壁３７を形成するようにしている。外周壁３７はその高さが比較的低くなっており、図１０に示すように容器１０のフランジ１１の厚さよりもやや大きな寸法を有している。そしてこのような外周壁３７の内周面に容器１０のフランジ１１の外周面を嵌合させるようにしている。
【００２４】
またフレーム２０の外周側であって外周壁３７は上方に突出してリブ３８を構成している。すなわちこのフレーム２０はその接合部２３の外周側にリブ３８が形成されている。そしてこのリブ３８の内周側の部分であって接合部２３の上面に蓋板２１が接合されるようになっている。従ってこのようなフレーム２０によれば、蓋板２１の直径が第１の実施例よりもやや大きな寸法になる。なおそれ以外の構成は上記第１の実施例と同様である。
【００２５】
従ってこのような構成に係る容器の蓋も、突片２６の凹部２８を利用してプルタブ３３の部分を指で押して先端部を持上げ、このプルタブ３３の先端部を指で引張って摘むことにより、図１１および図１２に示すように蓋板２１の切断誘導部３２によって囲まれる領域が破断される。従ってフレーム２０の突片２６の注出口２７が露出されることになり、このような注出口２７を通して容器内の飲料を注出することが可能になる。
【００２６】
このような構成によれば、蓋の外周側の部分はリブ３８の内周まで蓋板２１が延びているために、より広い領域まで蓋板２１によって覆うことが可能になる。従って図１２に示すように開封して注出口２７を露出させたときに、いままで蓋板２１によって覆われていたより広い領域の部分が露出されることになる。このためにより衛生的に中の飲料を飲むことが可能になる。
【００２７】
【発明の効果】
本発明は、フレームの内側の開口部を閉塞するようにフレームに組合わされるようになっている蓋板のプルタブを突片の凹部の上側の位置で押して持ち上げて引張ると、このプルタブと連続するように蓋板に形成されている切断誘導部が切断され、フレームに設けられている突片の注出口が露出するようにしたものである。
【００２８】
従って部分的に蓋を開封して中の飲料を飲むことが可能になり、蓋の全体を開封することなく開口を行なうことが可能になるために、高級感のある容器の蓋を提供できるようになる。
【図面の簡単な説明】
【図１】  第１の実施例の容器の蓋の分解斜視図である。
【図２】  フレームの平面図である。
【図３】  フレームの縦断面図である。
【図４】  蓋板の平面図である。
【図５】  容器の全体の構造を示す縦断面図である。
【図６】  開封動作を示す斜視図である。
【図７】  開封動作を示す斜視図である。
【図８】  第２の実施例の容器の蓋の分解斜視図である。
【図９】  フレームの平面図である。
【図１０】  容器と組合わされた蓋の縦断面図である。
【図１１】  開封動作を示す斜視図である。
【図１２】  開封動作を示す斜視図である。
【符号の説明】
１０  容器
１１  フランジ
１２  底板
１３  周璧部
１４  折返し部
２０  フレーム
２１  蓋板
２２  リング状嵌着部
２３  接合部
２６  突片
２７  注出口
２８  凹部
３１  Ｕ字状切込み
３２  切断誘導部
３３  プルタブ
３７  外周壁
３８  リブ
【図１】
0003741389.tif 000002
【図２】
0003741389.tif 000003
【図３】
0003741389.tif 000004
【図４】
0003741389.tif 000005
【図５】
0003741389.tif 000006
【図６】
0003741389.tif 000007
【図７】
0003741389.tif 000008
【図８】
0003741389.tif 000009
【図９】
0003741389.tif 000010
【図１０】
0003741389.tif 000011
【図１１】
0003741389.tif 000012
【図１２】
0003741389.tif 000013